(57)【要約】【課題】  簡単且つ小型な構成によってキートップに多重的な表示を行うことを可能とした上で、照明手段を用いた表示切替え形態を可能とするキーボード装置を提供する。【解決手段】  キートップに、赤色，緑色に切替え可能に構成されるバックライトの照明色に応じて、各キーに割り当てられた複数の機能に対応した表示を行うための表示板１７，１８を備え、ＭＰＵは、操作モードの設定に応じてバックライトの照明色を切替え、キートップが有する表示板１７，１８の何れか一方の表示を視認させるように制御する。【選択図】  図１
2006277013.tif 000002
【特許請求の範囲】
【請求項１】
夫々に複数の機能が割り当てられた複数のキーを備え、複数のうち何れかの操作モードが設定されると、その操作モードに対応した機能を選択して各キーに設定するように切り替えるキーボード装置において、
照明色を複数の異なる色に切替え可能に構成される照明手段と、
この照明手段の照明色に応じて、各キーに割り当てられた複数の機能に対応する表示を行うもので、各表示の少なくとも一部が重なるように配置される表示手段を備えるキートップと、
操作モードの設定に応じて前記照明手段の照明色を切替えることで、前記表示手段における何れか１つの表示を視認させるように制御する制御手段とを備えてなることを特徴とするキーボード装置。
【請求項２】
前記表示手段は、前記照明手段における複数の照明色のうち何れか１つを透過し、その他の照明色を吸収する着色透明材料で構成されていることを特徴とする請求項１記載のキーボード装置。
【請求項３】
前記表示手段は、全ての操作モードにおいて共通となる機能に対応する表示は、前記照明手段の全ての照明色を透過しない材料、若しくは不透明な材料を用いて行うことを特徴とする請求項１又は２記載のキーボード装置。
【請求項４】
前記表示手段は、各操作モードに対応して夫々複数の表示部分を備えていることを特徴とする請求項１乃至３の何れかに記載のキーボード装置。
【請求項５】
前記キートップは、複数に分割された表示領域を備え、
前記表示手段及び前記照明手段は、前記複数の表示領域に夫々対応して配置されていることを特徴とする請求項１乃至４の何れかに記載のキーボード装置。
【請求項６】
複数のキー群に対して、夫々異なる操作モードを同時に設定可能に構成されていること
を特徴とする請求項１乃至５の何れかに記載のキーボード装置。
【請求項７】
前記照明手段は、バックライトとして構成され、
前記キートップは、前記バックライトによる照明光の拡散効率を良好にする半透明材料で構成されていることを特徴とする請求項１乃至６の何れかに記載のキーボード装置。
【請求項８】
前記キートップに偏光特性を備えた部材を配置し、外部光による前記表示手段の表示を読取り不能とするように構成されていることを特徴とする請求項１乃至７の何れかに記載のキーボード装置。
【請求項９】
前記制御手段は、設定された操作モードが一部のキー群だけを操作対象とする場合には、前記キー群に対応する部分だけを前記照明手段によって照明させるように制御することを特徴とする請求項１乃至８の何れかに記載のキーボード装置。
【発明の詳細な説明】
【技術分野】
【０００１】
本発明は、夫々に複数の機能が割り当てられた複数のキーを備え、複数のうち何れかの操作モードが設定されると、その操作モードに対応した機能を選択して各キーに設定するように切り替えるキーボード装置に関する。
【背景技術】
【０００２】
例えばパーソナルコンピュータに使用されるキーボードや、携帯電話機に配置されている操作キーなどは、１つのキーに複数の機能を割り当てておき、シフトキーやファンクションキーなどを併せて操作することで各機能を使い分けるようにしてキーの増加を抑制し、装置全体のサイズを小型化することが図られている。その場合、１つのキーの表面に複数の機能（例えば、アルファベット入力やひらがな，カタカナ入力，各種記号の入力など）に対応する表示を配置することになるため、使用するキーを捜すのが煩わしくなったり、機能を間違えて操作したりする場合が発生する。
斯様な問題を解決する技術として、例えば特許文献１〜３に開示されているものがある。特許文献１では、異なる文字や記号など表示させるため、表示部分のみを透明とした２枚のフィルム状透明部材を三角プリズムの２面に配置し、キートップの内部を遮蔽体で区切り、夫々の空間に２つの光源を配置して何れか一方を選択的に点灯させることで、キートップの表面（プリズムの残り１面）に何れか一方を表示させるようにしている。
【０００３】
特許文献２では、透光性を有する材質で構成されたキーの内部に２枚の表示フィルムを配置し、それらのフィルムを選択的に照明するため、偏光面が直角を成し、各表示フィルムの部分に対向するように２枚の偏光フィルムを配置し、光源として偏光フィルムが貼り付けられたＬＥＤを２つ用意し、これらのＬＥＤを選択的に点灯させることで、表示フィルムに表示された内容をキー上に表すようにしている。
特許文献３では、透明な部材で形成されたキーと発光体との間に、キーの他側から入射する光を遮光し且つ発光体からの照明光を透過させる透光性部材を配置し、その部材の両側に不透光性の文字，図形又は記号を配置して発光体の点消灯を切り替えることで、キーの表示を切り替えるようにしている。
【特許文献１】特開昭５８−４４６２０号公報
【特許文献２】特表平１１−５１３１８０号公報
【特許文献３】特許第３５４２９１６号公報
【発明の開示】
【発明が解決しようとする課題】
【０００４】
しかしながら、特許文献１では三角プリズムを内蔵させるためキー自体に高さが必要であり、キーボードを薄型に構成することができない。
また、特許文献２では光の偏向を利用して表示を行うため光源の配置や偏光面の傾き精度が重要であり、容易に構成することができない。加えて、偏向した光を発生させる光源を必要とすることも問題となる。
また、特許文献３では、透光性部材としてハーフミラー的な性質を備えているものが必要であるため、照明を常時点灯させた状態で表示を行う構成には適用することができない。
【０００５】
本発明は上記事情に鑑みてなされたものであり、その目的は、簡単且つ小型な構成によってキートップに多重的な表示を行うことを可能とした上で、照明手段を用いた表示切替え形態を可能とするキーボード装置を提供することにある。
【課題を解決するための手段】
【０００６】
請求項１記載のキーボード装置によれば、キートップは、複数の異なる色に切替え可能に構成される照明手段の照明色に応じて、各キーに割り当てられた複数の機能に対応して表示を行うための表示手段を備えている。そして、制御手段は、操作モードの設定に応じて照明手段の照明色を切替え、キートップが有する表示手段における何れか１つの表示を視認させるように制御する。
即ち、表示手段における複数の表示の一部が重なっているとしても、照明手段の照明色を切り替えることで、それらの表示の何れか１つだけを明確にして操作者の視覚に認識させることができる。この場合、照明手段の照明色は、人間の視覚上明確な色差があるものを選択することが適切である。斯様に構成すれば、キートップ全体のサイズを大型化することなしに複数の表示を切り替えることができる。
【０００７】
請求項２記載のキーボード装置によれば、表示手段を、照明手段における複数の照明色のうち何れか１つを透過して、その他の照明色を吸収する着色透明材料で構成する。斯様に構成すれば、表示部分以外の背景が全ての照明色を吸収する材料であれば、透過する照明光によって表示を選択的に明示（ポジ表示）することができ、前記表示を行わない場合は照明光を吸収することにより表示を目立たなくして非表示状態にできる。一方、表示部分以外の背景が全ての照明色を透過する材料であれば、透過する照明光によって表示を目立たなくして非表示状態とし、その他の照明光は吸収して表示を選択的に暗示（ネガ表示）することができる。
【０００８】
請求項３記載のキーボード装置によれば、表示手段を、全ての操作モードで共通となる機能に対応する表示は、照明手段の全ての照明色を透過しない材料、若しくは不透明な材料を用いて行う構成とする。斯様に構成すれば、操作モードの切替わりに応じて照明色が切替わっても、共通機能に対応する表示は常にネガ表示状態となる。従って、当該キーの表示を常に視認し易くすることができる。
請求項４記載のキーボード装置によれば、表示手段に、各操作モードに対応して夫々複数の表示部分を備えるので、１つの操作モードについてワンポイント表示を行うものに限ることなく、より多様な形態の表示を行うことができる。
【０００９】
請求項５記載のキーボード装置によれば、キートップに、複数に分割された表示領域を備える。そして、表示手段及び照明手段を各表示領域に夫々対応して配置する。斯様に構成すれば、１つのキーについて各領域に対応する照明手段を独立に制御することで、より多様な操作モードを設定することが可能となる。
請求項６記載のキーボード装置によれば、複数のキー群に対して、夫々異なる操作モードを同時に設定可能とするので、１つのキーボード装置に対して同時に複数の操作モードを設定し、それらを同時に使い分けることができる。
【００１０】
請求項７記載のキーボード装置によれば、照明手段をバックライトとして構成し、キートップを、バックライトによる照明光の拡散効率を良好にする半透明材料で構成するので、輪郭を際立たせるように表示を行うことができる。
請求項８記載のキーボード装置によれば、キートップに偏光特性を備えた部材を配置し、外部光による表示手段の表示を読取り不能とする。従って、複数の表示が重なっている場合、外部光によりそれらが重なった状態のまま同時に視認されてしまい、表示が見苦しくなる状態を回避することができる。
【００１１】
請求項９記載のキーボード装置によれば、制御手段は、設定された操作モードが一部のキー群だけを操作対象とする場合、前記キー群に対応する部分だけを照明手段によって照明させる。即ち、操作モードによっては、必ずしも全てのキーを操作する必要がない場合があるので、各モードに応じて操作が有効となるキーのみを表示させることでどのキーを操作すれば良いのかを操作者に明確に提示して、操作を容易にすることができる。
【発明を実施するための最良の形態】
【００１２】
（第１実施例）
以下、本発明のキーボード装置をバーコードハンディターミナルに適用した場合の第１実施例について図１乃至図６を参照して説明する。図３は、バーコードハンディターミナル（ＢＨＴ）の構成を示す機能ブロック図である。ＢＨＴ１は、ＭＰＵ（制御手段）２によって制御が行われる。ＭＰＵ２には、メモリ３，表示部４，バーコード読取り部５，電源部６，入力部７，通信インターフェイス（Ｉ／Ｆ）部８，その他の周辺回路部９等が接続されている。
【００１３】
メモリ３は、ＲＡＭ，ＲＯＭ，ＦＲＡＭ（Ferroelectric RAM）などで構成され、表示部４は、各種情報を表示するためのＬＣＤや、パワーインジケータなどに使用されるＬＥＤなどで構成される。バーコード読取り部５は、エリアセンサとしてのＣＣＤや照明用のレーザ，その他レンズやミラーなどの光学部品などからなる。電源部６は、二次電池たるバッテリやその充電回路で構成される。
入力部７は、キーボード１０や、後述するようにキートップ部分に表示を行うためのバックライト（照明手段）１１（何れも図４参照），タッチパネル，スイッチなどで構成される。通信インターフェイス部８は、ＲＳ−２３２Ｃ，ＩｒＤＡ，ＵＳＢ（Universal Serial Bus），ＬＡＮなどで構成され、周辺回路部９は時計（リアルタイムクロック）ＩＣやタイマなどで構成される。尚、入力部７以外の構成部分は、一般的なＢＨＴと同様である。
【００１４】
図４は、ＭＰＵ２と入力部７との接続状態を示すものであり、ここでは、「０」〜「９」のテンキーに、「．」及び「ＥＮＴ」を加えた１２個のキー１２よりなるキーマトリクスを示す。ＭＰＵ２は、縦３×横４の走査線（スキャンライン）により、何れのキー１２がオンされたかをスキャンする。そして、各キー１２に対応して、１２個のバックライト１１が配置されており、それらのバックライト１１は、制御線を介してＭＰＵ２により個別の点消灯制御が可能となっている。
【００１５】
図２は、キー１２の構造を示す縦断面図である。ベース基板１３上にはダンパ１４を介してバックライト用の制御基板１５が搭載されている。制御基板１５には、例えば発光色が夫々赤，緑となるＥＬ（Electro Luminescence）素子で構成される２つのバックライト１１Ｒ，１１Ｇが搭載されている。これらのバックライト１１の図３中上方には、光拡散板１６と、２つの表示板（表示手段）１７及び１８とが配置されている。そして、これらはキートップ１９及びキートップカバー２０によって覆われている。尚、キートップカバー２０は、バックライト光の拡散効率を良好にするような半透明材料で構成されている。
【００１６】
次に、本実施例の作用について原理的に説明する。２つの表示板１７，１８には、夫々異なる操作モードに対応した異なる表示が表されている。一例として、図１に示すように、表示板１７にはアルファベット「Ａ」が表示され、表示板１８にはひらがな「あ」が表示されている。これらの表示板１７，１８は、表示以外の背景となる部分は透明であり、表示板１７の表示「Ａ」は、赤色の塗料などで表されている。また、表示板１８の表示「あ」は、緑色の塗料などで表されている。即ち、これらは着色透明材料で構成されている。そして、２枚の表示板１７，１８を重ねれば、図１（ａ）に示すように２つの表示が重なった状態になる。
【００１７】
この状態で、ＭＰＵ２が赤色のバックライト１１Ｒだけを点灯させると、図１（ｂ）に示すように表示板１７の表示「Ａ」は背景色に紛れるが、表示板１８の表示「あ」は赤色光を透過しないため黒く浮かび上がるネガ表示状態になる。一方、緑色のバックライト１１Ｇだけを点灯させると、逆に、図１（ｃ）に示すように表示板１８の表示「あ」は背景色に紛れるが、表示板１７の表示「Ａ」は緑色光を透過しないため黒く浮かび上がる。このようにして、２つの重なっている表示を、バックライト１１Ｒ，１１Ｇの点消灯を切替えることで、見る者の視覚に明確に区別させることができる。
【００１８】
以上は原理的に説明したが、本発明をＢＨＴ１に適用する場合のより具体的な例について図５及び図６を参照して説明する。図５，図６は、ＢＨＴ１の平面図である。通常、ＢＨＴ１には、本体のセットアップを行うためや、或いは光学的に読取れなかったコードの情報を入力するためなどにキー１２が使用される。そして、ＢＨＴ１は、通常作業者が片手で持った状態で操作するものであるため筐体のサイズに限界があり、キー１２を配置する面積にも限りがある。
従って、通常のＢＨＴでは、図４に示すようなテンキーを含む１２個のキーには、アルファベット「ＡＢＣ・・・」や「−」、「＋」といったような記号なども入力できるように割り当てている。そして、それらの表示はキートップの表面にではなく、キーの上方などに小さいサイズで例えば３キャラクタずつ配置されている。
【００１９】
これに対して、本実施例によれば、図２に示すキー１２の構造を採用して図１に示す形態により表示を行うことで、テンキーの各数字の表示と、対応する３つのアルファベットなどの表示とを、何れもキートップ１９の表面上で切替えて行なうことが可能となる。例えば、図５はテンキー側だけを表示させた場合であり、図６は、キー１２の入力機能を切り替えるために例えばシフトキーを操作してアルファベット側だけを表示させた場合を示す。
また、図５，図６の場合、パワーキー「ＰＷ」や、ファンクションキーＦ１〜Ｆ８などは何れの操作モードにおいても入力機能は共通である。従って、これらのキーについては、何れのバックライト光も透過しない材料で表示部分を形成することで、常にネガ表示させるようにする。
【００２０】
以上のように本実施例によれば、ＢＨＴ１のキートップ１９に、赤色，緑色に切替え可能に構成されるバックライト１１の照明色に応じて、各キー１２に割り当てられた複数の機能に対応した表示を行うための表示板１７，１８を備え、ＭＰＵ２は、操作モードの設定に応じてバックライト１１の照明色を切替え、キートップ１９が有する表示板１７，１８の何れか一方の表示を視認させるように制御する。
従って、表示板１７，１８における夫々の表示が重なっていても、バックライト１１の照明色を切り替えればそれらの何れか１つだけを明確にして操作者の視覚に認識させることができる。よって、キートップ１９の表示面積を大きく必要とすることなく、また、キートップ１９全体のサイズを大型化することなしに複数の表示を切り替えることができ、ＢＨＴ１の操作性を良好にすることができる。
【００２１】
そして、表示板１７，１８を、バックライト１１Ｒ，１１Ｇによる照明色の赤，緑の何れか一方を透過して、他方を吸収する着色透明材料で構成したので、表示部分以外の背景を透過材料にすることで、透過するバックライト光により表示を目立たなくして非表示状態とし、他方のバックライト光は吸収して表示を選択的にネガ表示することができる。
また、全ての操作モードで共通となる機能に対応する表示は、バックライト１１の全ての照明色を透過しない不透明材料で構成するので、操作モードの切替わりに応じて照明色が切替わっても、共通機能に対応する表示は常にネガ表示状態となるから、当該キー１２の表示を常に視認し易くすることができる。
更に、キートップカバー２０を、バックライト１１による照明光の拡散効率を良好にする半透明材料で構成したので、輪郭を際立たせるように表示を行うことができる。
【００２２】
（第２実施例）
図７は本発明の第２実施例を示すものであり、第１実施例と同一部分には同一符号を付して説明を省略し、以下異なる部分についてのみ説明する。第２実施例のキー２２は、１つのキートップ２３の内部が４分割されており、それら４つの領域について、第１実施例の図２に示すバックライト１１から表示板１８までの構成が、夫々独立に配置されている場合を示す。即ち、キートップ２２の一方の表示パターンは、４つのキャラクタ「＞」，「。」，「，」，「ね」を表示するもので、他方の表示パターンは、別の４つのキャラクタ「＜」，「、」，「．」，「る」を表示するようになっている。そして、バックライト１１Ｒ，１１Ｇを選択的に点灯させることで、上記表示パターンの何れか一方を選択的に視認させることができる。
以上のように第２実施例によれば、キートップ２３に、各操作モードに対応して夫々複数の表示部分を備えるように構成される表示手段を配置したので、１つの操作モードについてワンポイント表示を行うものに限ることなく、より多様な形態の表示を行うことができる。
【００２３】
（第３実施例）
図８は本発明の第３実施例を示すものである。第３実施例のキー２４は、第１実施例の図２に示すキー１２におけるキートップカバー２０と上層側表示板１８との間に、偏向フィルタ２５を挿入して構成されている。この偏向フィルタ２５は、キートップカバー２０を介して入射する太陽光や室内灯などの外部光を反射させることで、内部の表示板１８又は１７に到達することを防止する目的で配置される。
即ち、上記の外部光が入射して内部の表示板１８又は１７で反射すると、バックライト１１が点灯しない状態において表示板１８又は１７の表示が作業者に視認されてしまうおそれがある。従って、偏向フィルタ２５を配置することで、表示板１８又は１７の表示が重なった状態のまま同時に視認されてしまい、表示が見苦しくなる状態を回避することができる。
【００２４】
（第４実施例）
図９乃至図１３は本発明の第４実施例を示すものである。第４実施例では、ＭＰＵ２がＢＨＴ１の操作モードに応じて、キーボード１０の内、操作が有効となるキー１２だけを選択的に表示させるように制御する。図１０は、ＢＨＴ１が、作業者が各種設定を行うためのシステムモードに移行した場合に、表示部４における設定画面表示の切替え例を示すもので、図９は、その表示切替えに対応するＭＰＵ２の制御内容を示すフローチャートである。
【００２５】
図９において、先ず、作業者が所定のキー操作を行うことでシステムメニューを選択すると（ステップＳ１）、ＭＰＵ２は表示部４を図１０（ａ）に示す画面に切替えて表示させる（ステップＳ２）。この場合、システムメニューには７つの設定項目があり、作業者は、これらの内何れの項目について設定を行うかをテンキー「１」〜「７」、若しくは画面上のカーソルを上下方向に移動させるためのファンクションキー「Ｆ５」，「Ｆ６」を操作して選択し、「ＥＮＴ」キーを操作して確定する。
【００２６】
また、図１１乃至図１３は、図１０（ａ）〜（ｃ）に対応するＢＨＴ１のキー表示状態を示すものである。ＭＰＵ２は、ステップＳ２を実行すると、キーボード１０のキー表示を、ファンクションキー「Ｆ５，Ｆ６」，テンキー「１〜７」，「ＥＮＴ」キーだけとするように、各キー１２に対応するバックライト１１Ｒを点灯させる（ステップＳ３）。すると、キーボード１０は、図１１に示すように選択されたキー１２の表示だけが視認されるようになる。
【００２７】
図１０（ａ）に示すシステムメニューから、例えば作業者が項目「４」の「ＳＥＴ  ＳＹＳＴＥＭ」を選択したとする（ステップＳ４，「４」）。すると、ＭＰＵ２は表示部４を図１０（ｂ）に示す画面に切替えて表示させ（ステップＳ５）、キーボード１０のキー表示を、ファンクションキー「Ｆ５，Ｆ６」，テンキー「１〜９」，「ＥＮＴ」キー，「Ｃ」キーだけとするように対応するバックライト１１Ｒを点灯させる（ステップＳ６）。すると、キーボード１０は、図１２に示すように選択されたキー１２の表示だけが視認されるようになる。
この場合、「ＳＥＴ  ＳＹＳＴＥＭ」には９つの設定項目があり、作業者は、同様に何れの項目について設定を行うかをテンキー「１」〜「９」、若しくはファンクションキー「Ｆ５」，「Ｆ６」を操作して選択する。また、「Ｃ」キーは、１つ前の画面に戻る場合に操作する。
【００２８】
同様に、図１０（ｂ）に示す「ＳＥＴ  ＳＹＳＴＥＭ」画面から、例えば作業者が項目「５」の「ＣＯＭＭＵＮＩＣＡＴＩＯＮ」を選択したとする（ステップＳ７，「５」）。すると、ＭＰＵ２は表示部４を図１０（ｃ）に示す画面に切替えて表示させ（ステップＳ８）、キーボード１０のキー表示を、ファンクションキー「Ｆ５，Ｆ６」，テンキー「１〜４」，「ＥＮＴ」キー，「Ｃ」キーだけとするように対応するバックライト１１Ｒを点灯させる（ステップＳ９）。すると、キーボード１０は、図１３に示すように選択されたキー１２の表示だけが視認されるようになる。尚、第４実施例では、図１０（ａ）〜（ｃ）の各画面に切替わった状態で、夫々が異なる操作モードとなっている。
【００２９】
以上のように第４実施例によれば、ＭＰＵ２は、設定された操作モードがキーボード１０一部のキー群だけを操作対象とする場合、前記キー群に対応する部分だけをバックライト１１Ｒによって照明させることで所謂ガイダンスキー表示を行うようにした。即ち、操作モードによっては、必ずしも全てのキー１２を操作する必要がない場合があるので、各モードに応じて操作が有効となるキー１２のみを表示させてどのキー１２を操作すれば良いのかを作業者に明確に提示すれば、操作を容易にすることができる。
【００３０】
（第５実施例）
図１４は本発明の第５実施例を示すものである。第５実施例は、第１実施例の構成をキーボード装置３１に適用した場合を示す。キーボード装置３１の各キー３２は、第１実施例のキー１２と同様に構成されており、キーボード装置３１の左半分を第１キー群３３とし、右半分を第２キー群３４とする。そして、第５実施例では、これら２つのキー群３３，３４について、夫々異なる操作モードを同時に設定可能とする。
この場合、各キー３２の表示を制御する図示しないＭＰＵは、例えば第１キー群３３については赤色のバックライトを点灯させ、第２キー群３４については緑色のバックライトを点灯させるように制御する。すると、第１キー群３３については、緑色の表示がネガ表示され、第２キー群３４については赤色の表示がネガ表示されるので、夫々の操作モードに応じた表示を行なうことが可能となる。
【００３１】
本発明は上記し又は図面に記載した実施例にのみ限定されるものではなく、次のような変形が可能である。
図１の表示例について、表示以外の背景を例えば黒色材料とすることで、赤色のバックライト１１Ｒだけを点灯させて表示板１７の表示「Ａ」をポジ表示させ、背緑色のバックライト１１Ｇだけを点灯させて表示板１８の表示「あ」をポジ表示させるようにしても良い。
第２実施例のように、表示領域，表示手段，照明手段を夫々独立にせずとも、１つの表示手段及び照明手段によって同時に複数の表示が切り替わるようにしても良い。
また、照明手段の点消灯制御は必ずしも図４に示すように各キーに対して独立に行う必要はなく、全てのキーに対する照明色を共通の制御により同時に切り替えるようにしても良い。
第２実施例の構成を第５実施例に適用しても良い。
照明手段は、ＥＬ素子を用いるものに限らず、ＬＥＤなどを用いても良い。
照明手段は、バックライトとして構成されるものに限らず、表示手段の側面側又は表面側から照明光を照射するものであっても良い。
第１乃至第４実施例についてもＢＨＴ１に限ることなく、キーボード装置一般に適用することが可能である。
【図面の簡単な説明】
【００３２】
【図１】本発明をバーコードハンディターミナル（ＢＨＴ）に適用した場合の第１実施例であり、キー表示の切替え例を原理的に示す図
【図２】キーの構造を示す縦断面図
【図３】ＢＨＴの構成を示す機能ブロック図
【図４】ＭＰＵと入力部との接続状態を示す図
【図５】図１に示すキー表示の切替え例を、ＢＨＴの場合についてより具体的に示す図（その１）
【図６】図５相当図（その２）
【図７】本発明の第２実施例であり、分割されたキートップの表示面を示す図
【図８】本発明の第３実施例を示す図２相当図
【図９】本発明の第４実施例であり、ＭＰＵによるキー表示切替え制御を示すフローチャート
【図１０】ＢＨＴが、作業者が各種設定を行うためのシステムモードに移行した場合、表示部における設定画面の表示例を示す図
【図１１】図１０（ａ）に対応するキー表示状態を示す図
【図１２】図１０（ｂ）に対応するキー表示状態を示す図
【図１３】図１０（ｃ）に対応するキー表示状態を示す図
【図１４】本発明を一般的なキーボード装置に適用した場合の第５実施例であり、キーボード装置のキー表示状態を示す図
【符号の説明】
【００３３】
図面中、１はバーコードハンディターミナル、２はＭＰＵ（制御手段）、１０はキーボード、１１はバックライト（照明手段）、１７，１８は表示板（表示手段）、１９はキートップ、２０はキートップカバー、２２はキー、２３はキートップ、２５は偏向フィルタ、３１はキーボード装置を示す。
【図１】
2006277013.tif 000003
【図２】
2006277013.tif 000004
【図３】
2006277013.tif 000005
【図４】
2006277013.tif 000006
【図５】
2006277013.tif 000007
【図６】
2006277013.tif 000008
【図７】
2006277013.tif 000009
【図８】
2006277013.tif 000010
【図９】
2006277013.tif 000011
【図１０】
2006277013.tif 000012
【図１１】
2006277013.tif 000013
【図１２】
2006277013.tif 000014
【図１３】
2006277013.tif 000015
【図１４】
2006277013.tif 000016